(57)【要約】【課題】ハンズフリー通話機能のためのブルートゥースのプロファイルについて有効利用を図る。【解決手段】ファクシミリ装置５０から電話回線経由で携帯電話装置１に送信されたファクシミリ信号は、ハンズフリープロファイルの音声信号の伝送フォーマット（ＳＣＯリンク）により、携帯型オーディオプレーヤ２に送信する。携帯型オーディオプレーヤ２は、受信したファクシミリ信号を、所定形式のデータに変換して記憶部２３に保存する。また、携帯型オーディオプレーヤ２は、記憶部２３に保存した画像データなどをファクシミリ信号に変換してＳＣＯリンクにより携帯電話装置１に送信する。携帯電話装置１は、受信したファクシミリ信号を、電話回線経由で通常のファクシミリ信号として送信するようにされる。このようにして、例えばＦＡＸプロファイルなどを追加することなく、ハンズフリープロファイルによりファクシミリ通信を実現する。【選択図】図６
2007208810.tif 000002
【特許請求の範囲】
【請求項１】
所定以上の記憶容量を有し、情報が記憶される記憶手段と、
携帯電話装置と電話回線を経由して接続される電話通信装置と、所定の無線通信規格に応じた無線通信網を経由して上記携帯電話装置と接続される無線通信装置との間で、上記携帯電話装置が中継するようにして音声情報の送受信が行われるようにするための上記無線通信規格における所定のプロトコルに対応し、上記無線通信装置としての通信機能が実現されるように構成される無線通信手段と、
上記携帯電話装置から上記無線通信網を経由して送信されてくる音声情報がファクシミリ情報である場合には、このファクシミリ情報を上記無線通信手段により受信取得して上記記記憶手段に記憶させる制御手段と、
を備えることを特徴とする通信装置。
【請求項２】
携帯電話装置と電話回線を経由して接続される電話通信装置と、所定の無線通信規格に応じた無線通信網を経由して上記携帯電話装置と接続される無線通信装置との間で、上記携帯電話装置が中継するようにして音声情報の送受信が行われるようにするための上記無線通信規格における所定のプロトコルに対応し、上記無線通信装置としての通信機能が実現されるように構成される無線通信手段と、
内部に記憶保持している情報、または外部から取得した情報を、送信用ファクシミリ情報に変換する変換手段と、
上記送信用ファクシミリ情報を、上記無線通信網を経由して音声情報として上記携帯電話装置に送信し、さらに、この携帯電話装置から上記電話通信装置に対して電話回線を経由して送信させるための制御を上記無線通信手段により実行させる送信制御手段と、
を備えることを特徴とする通信装置。
【請求項３】
携帯電話装置と電話回線を経由して接続される電話通信装置と、所定の無線通信規格に応じた無線通信網を経由して上記携帯電話装置と接続される無線通信装置との間で、上記携帯電話装置が中継するようにして音声情報の送受信が行われるようにするための上記無線通信規格における所定のプロトコルに対応し、上記無線通信装置としての通信機能が実現されるように構成される無線通信手順と、
上記携帯電話装置から上記無線通信網を経由して送信されてくる音声情報がファクシミリ情報である場合には、このファクシミリ情報を上記無線通信手段により受信取得して、所定以上の記憶容量を有して情報が記憶される記憶手段に記憶させる制御手順と、
を実行することを特徴とする通信方法。
【請求項４】
携帯電話装置と電話回線を経由して接続される電話通信装置と、所定の無線通信規格に応じた無線通信網を経由して携帯電話装置と接続される無線通信装置との間で、携帯電話装置が中継するようにして音声情報の送受信が行われるようにするための無線通信規格における所定のプロトコルに対応し、無線通信装置としての通信機能が実現されるように構成される無線通信手順と、
内部に記憶保持している情報、または外部から取得した情報を、送信用ファクシミリ情報に変換する変換手順と、
上記送信用ファクシミリ情報を、上記無線通信網を経由して音声情報として上記携帯電話装置に送信し、さらに、この携帯電話装置から上記電話通信装置に対して電話回線を経由して送信させるための制御を上記無線通信手順に実行させる送信制御手順と、
を実行することを特徴とする通信方法。
【発明の詳細な説明】
【技術分野】
【０００１】
本発明は、携帯電話装置と電話回線により接続された電話通信装置との間での音声の授受が可能なようにされた通信装置と、その通信方法に関する。
【背景技術】
【０００２】
フラッシュメモリなどの半導体記憶素子、あるいはハードディスクなどを記憶媒体として内蔵する、携帯型のオーディオ記録再生装置（携帯型オーディオプレーヤ）が普及している。このような携帯型オーディオプレーヤでは、例えばパーソナルコンピュータなどからオーディオデータを転送させて内部の記憶媒体に記憶させることができるようになっている。また、このようにして記憶されるオーディオデータの曲数としては、記憶媒体の種類や容量などにもよるが、一般的に数十曲から数千曲である。
上記のようにして記憶されたオーディオデータを再生して聴くときには、例えば本体のオーディオ出力端子に対してイヤフォン（あるいはスピーカ）などを接続するようにされる。また、携帯型オーディオプレーヤにはマイクロフォンを内蔵したものも普及している。このようなマイクロフォン内蔵のものであれば、周囲の音声を収音して、オーディオデータとして記憶させることができるので、例えば会議などを録音するのに役立つ。
【０００３】
このようにして、携帯型オーディオプレーヤが、音声の再生出力機能と、収音音声録音のためのマイクロフォンを内蔵していることを利用して、ここ最近においては、携帯型オーディオプレーヤに、いわゆるハンズフリー通話の機能を与えることが行われている。
現状における一般的なハンズフリーのための構成としては、携帯型オーディオプレーヤと携帯電話装置とを無線通信により接続するようにされる。また、この無線通信には、ブルートゥースの規格が採用されるのが一般的である。そして、このブルートゥースにおいて規定されるハンズフリープロファイルやヘッドセットプロファイルを利用して、携帯電話装置と携帯型オーディオプレーヤとを連携させることで、ユーザは、携帯電話装置と電話回線で接続された相手方との通話を、携帯型オーディオプレーヤのイヤフォンとマイクロフォンを利用して行うことが可能になる。これにより、ユーザは、携帯電話装置を手に持つことなく、両手が空いた状態で相手方との会話が行える。つまり、ハンズフリー通話が可能になる。
【０００４】
【特許文献１】特開２００５−６３１１６号公報
【発明の開示】
【発明が解決しようとする課題】
【０００５】
本願発明は、上記のようにして携帯型オーディオプレーヤがハンズフリー通話のために備える機能の構成を拡張して、これまでに無いとされる機能を提供できるようにすることで、ハンズフリー通話機能のために備える構成を有効に活用し、また、ユーザにとっても、より高い利便性が得られるようにすることを目的とする。このために、特に本願発明では、ハンズフリー通話機能にファクシミリ伝送を連携させることで、ファクシミリ送受信の利用についての利便性が高められるようにする。
【課題を解決するための手段】
【０００６】
そこで本発明は上記した課題を考慮して、通信装置として次のように構成する。
つまり、所定以上の記憶容量を有して情報が記憶される記憶手段と、携帯電話装置と電話回線を経由して接続される電話通信装置と、所定の無線通信規格に応じた無線通信網を経由して携帯電話装置と接続される無線通信装置との間で、携帯電話装置が中継するようにして音声情報の送受信が行われるようにするための無線通信規格における所定のプロトコルに対応し、無線通信装置としての通信機能が実現されるように構成される無線通信手段と、携帯電話装置から無線通信網を経由して送信されてくる音声情報がファクシミリ情報である場合には、このファクシミリ情報を無線通信手段により受信取得して記記憶手段に記憶させる制御手段とを備えることとした。
【０００７】
上記構成による通信装置は、携帯電話装置との間での所定の無線通信規格におけるプロトコルに従った通信により、携帯電話装置を経由するようにして、携帯電話装置と電話回線経由で接続された電話通信装置との間での音声情報の送受信を可能とされている。
ここで、電話通信では、話音声と同じ通信帯域によりファクシミリ情報が伝送できるように、ファクシミリのデータを音声領域の信号に変換するようにされている。つまり、ファクシミリ情報についても、電話通信における伝送自体は、話音声と同様となる。本願発明は、このことに着目して、本願発明の通信装置では、上記携帯電話から上記無線通信網を経由して送信されてくる音声情報がファクシミリ情報である場合には、このファクシミリ情報を受け付けないようにするのではなく、このファクシミリ情報を受信取得するようにされる。そして、通信装置が備える記憶手段に記憶保持させることとしている。つまり、本願発明によっては、携帯電話装置と電話回線経由で接続された電話通信装置との間で音声の送受信が可能な通信装置について、ファクシミリ情報の受信機能と、受信したファクシミリ情報を記憶保持する機能が与えられるものである。
【０００８】
また、本願発明としては、通信装置について次のようにも構成する。
つまり、携帯電話装置と電話回線を経由して接続される電話通信装置と、所定の無線通信規格に応じた無線通信網を経由して携帯電話装置と接続される無線通信装置との間で、携帯電話装置が中継するようにして音声情報の送受信が行われるようにするための無線通信規格における所定のプロトコルに対応し、無線通信装置としての通信機能が実現されるように構成される無線通信手段と、内部に記憶保持している情報、または外部から取得した情報を、送信用ファクシミリ情報に変換する変換手段と、送信用ファクシミリ情報を、無線通信網を経由して音声情報として携帯電話装置に送信し、さらに、この携帯電話装置から電話通信装置に対して電話回線を経由して送信させるための制御を無線通信手段により実行させる送信制御手段とを備えて構成することとした。
【０００９】
また、上記構成による通信装置も、携帯電話装置との間での所定の無線通信規格におけるプロトコルに従った通信により、携帯電話装置を経由するようにして、携帯電話装置と電話回線経由で接続された電話通信装置との間で音声の送受信を可能とされている。そのうえで、内部に記憶している情報、または外部から取得した情報をファクシミリ情報に変換する。上記もしているように、ファクシミリ情報は、ファクシミリのデータを電話回線で伝送可能なように音声信号に変換した形式である。そして、このようにして得たファクシミリデータを、上記プロトコルを利用した通信により携帯電話装置に送信し、さらに携帯電話装置と電話回線経由で接続される上記電話通信装置に対して送信させる。
つまり、本願発明によっては、携帯電話装置と電話回線経由で接続された電話通信装置との話音声の送受信を可能な通信装置として、内部又は外部より取得した情報を電話回線によりファクシミリとして伝送可能な形式（ファクシミリ情報）に変換する機能と、このようにして得たファクシミリ情報を、上記プロトコルを利用して上記電話通信装置に対して送信する機能が与えられるものである。
【発明の効果】
【００１０】
このようにして本発明は、通信装置について、携帯電話装置と電話回線経由で接続された電話通信装置との話音声の送受信機能を適用したファクシミリの受信、記憶機能が与えられる。また、ファクシミリの送信機能が与えられるものであり、通信装置が本来備える機能の有効利用と、ユーザの利便性の向上が図られる。
【発明を実施するための最良の形態】
【００１１】
以下、本願発明を実施するための最良の形態（以下、実施の形態ともいう）について説明を行う。本実施の形態としては、本願発明の通信装置を、携帯型オーディオプレーヤに適用する。
【００１２】
図１及び図２には、本実施の形態の携帯型オーディオプレーヤ２とともに、携帯電話装置１と、ファクシミリ装置５０とが示されている。
先ず、これら図１，図２に示される本実施の形態の携帯型オーディオプレーヤ２は、例えば片方の手のひらで持ち運べる程度の小型のサイズであり、その主たる機能は、比較的大きい容量の記憶媒体を備えることで、多数の楽曲などのオーディオデータを記憶させることが可能とされたうえで、このようにして記憶媒体に記憶されたオーディオデータを再生して、例えばヘッドフォン２ａ（あるいはイヤフォン）などから音声として再生出力することである。なお、記憶媒体に記憶させた静止画、あるいは動画としての所定形式による画像ファイルを、例えば携帯型オーディオプレーヤ２が有する表示部にて表示されるようにして再生することも可能とされる。
【００１３】
そのうえで、本実施の形態の携帯型オーディオプレーヤ２と、携帯電話装置１は、近距離無線通信方式として知られるブルートゥースの規格において規定されるプロファイル（プロトコル）である、ハンズフリープロファイル、あるいはヘッドセットプロファイルに対応する。これにより、両者間でのブルートゥースの通信を確立（ペアリング）させた状態では、例えば携帯電話装置１をマスタとし、携帯型オーディオプレーヤ２をスレーブとして、いわゆるハンズフリー通話が可能になる。
つまり、ハンズフリープロファイルやヘッドセットプロファイルによっては、携帯電話装置１にかかってきた着信を携帯型オーディオプレーヤ２側の操作でフックアップして電話回線をつないだうえで、携帯電話装置１に電話をかけてきた相手側の電話装置からの音声（受話音声）は、携帯電話装置１からブルートゥースの通信経路を介して携帯型オーディオプレーヤ２に送信するようにされる。ユーザは携帯型オーディオプレーヤ２に送信された受話音声を、例えばヘッドフォンなどにより再生して聴くことができる。また、ユーザの発話音声は、携帯型オーディオプレーヤ２が備えるマイクロフォンにより収音されたものを音声信号に変換してブルートゥースを経由して携帯電話装置１に送信するようにされる。携帯電話装置１は、受信した音声信号を、電話回線を経由して相手方の電話装置に送信するようにされる。このようにして、携帯型オーディオプレーヤ２のユーザは、携帯電話装置１を手に持つことなく、携帯電話装置１にかけてきた電話の相手と会話をすることができる。
なお、以降においては、特に区別を明確に記載しない限り、ハンズフリープロファイルと記載した場合にはヘッドセットプロファイルもそのなかに含まれるものとして扱う。
【００１４】
そして、本実施の形態としては、上記ハンズフリープロファイルにより、携帯型オーディオプレーヤ２と、携帯電話装置１と電話回線で接続されるファクシミリ装置５０との間での、ファクシミリの送受信も行うように構成する。
ハンズフリープロファイルは、先に説明したように、ハンズフリー通話を目的として、携帯電話装置１を中継させるようにして、携帯型オーディオプレーヤ２と、携帯電話装置１とつながる相手方電話装置との間で発話音声及び受話音声（話音声）を授受できるように規定したプロトコルである。
一方、ファクシミリの情報は、周知のようにして、電話回線における通常の通話用の帯域を利用して送受信されるもので、このために、ファクシミリのデータは、電話交回線の通話帯域に適合して音声信号化するための変調が行われる。
このようにして、電話回線上で伝送されるときのファクシミリのデータは、話音声ではないが、音声信号である。また、ヘッドセットプロファイルにより、上記のようにして携帯型オーディオプレーヤ２と携帯電話装置１の相手方電話装置との間で授受される話音声も、その実体は音声信号である。このようにして、ヘッドセットプロファイルが扱う送受信信号と、電話回線経由で伝送されるファクシミリ情報が、本来は、ともに電話装置間で授受される音声信号であることになる。本実施の形態としては、このことに着目した。つまり、ファクシミリ情報が、本来、音声信号の形式により送受信されるものである以上、例えば特にファクシミリ情報のデータ形式を特殊なものに変換したりすることなく、ハンズフリープロファイルのプロトコルに則ったファクシミリ情報の送受信を効率的に実現できるとの考えに至ったものであり、そのための構成を提案するものである。
【００１５】
ここであらためて、本実施の形態の携帯型オーディオプレーヤ２が有するファクシミリの送受信機能の概要について図１、図２により説明しておく。
先ず、図１により、携帯型オーディオプレーヤ２がファクシミリを受信する場合について説明する。ここでの説明は、図１において○印内に示される手順の番号に従って行う。
この場合には、ファクシミリ装置５０が電話回線を介して携帯電話装置１に対してファクシミリ(FAX)情報を送信する（手順１）。この電話回線経由で送信されるファクシミリ情報は音声信号の形式である。
この場合において、携帯電話装置１と携帯型オーディオプレーヤ２とはブルートゥースのヘッドセットプロファイルによる接続（ペアリング）が確立されている状態にあるものとされる。そこで、携帯電話装置１は、受信したファクシミリ情報を、形式としては音声信号のままで、ブルートゥースのヘッドセットプロファイルに従って携帯型オーディオプレーヤ２に対して転送する（手順２）。
転送されてきたファクシミリ信号を受信した携帯型オーディオプレーヤ２では、受信したファクシミリ情報を、例えば所定のファイル形式のデータに変換したうえで、自身が備える記憶媒体に書き込んで保存（記憶）させる（手順３）。また、記憶媒体には、例えば記憶媒体に保存されているファクシミリのデータファイルを管理するための管理情報も作成して記憶させておくようにされ、上記のようにして新規にファクシミリデータのファイルを記憶したときには、管理情報の更新などの所要の管理処理が行われる(手順４)。
【００１６】
続いて、図２により携帯型オーディオプレーヤ２がファクシミリ送信する場合について説明する。この説明も、図において○印内に示される手順の番号に従って行う。
携帯型オーディオプレーヤ２では、ファクシミリ送信のために、携帯型オーディオプレーヤ２は、送信すべきファクシミリ情報を作成する（手順１）。なお、このファクシミリ情報の作成については後述する。そして携帯型オーディオプレーヤ２は、このようにして作成したファクシミリ情報としてのデータを電話回線での伝送に適合した音声レベルの信号に変換しておき、この信号を、携帯電話装置１に対して、ブルートゥースのハンズフリープロファイルにより送信出力する(手順２)。なお、送信の開始に先だっては、ハンズフリープロファイルに従って、携帯電話装置１に相手先電話番号を通知することも行う。
【００１７】
携帯型オーディオプレーヤ２からのファクシミリ情報を受信した携帯電話装置１は、携帯型オーディオプレーヤ２から送信されてくるファクシミリ情報を受信し、さらに電話回線経由でファクシミリ装置５０に送信する（手順３）。なお、ファクシミリ情報を送信するのに先立っては、携帯電話装置１からファクシミリ装置を発呼するためのダイヤルアップが行われ、このダイヤルアップによる着信に応じてファクシミリ装置５０がフックアップすることになる。これにより、携帯電話装置１とファクシミリ装置５０とが電話回線経由で接続されることになり、以降におけるファクシミリ情報の送信が可能になる。
そして、このような携帯電話装置１の動作は、ハンズフリープロファイルに従って、通常に携帯型オーディオプレーヤ２（スレーブ）から送信される発話音声を、電話回線経由で送出するのと同様の処理として行うようにされる。前述もしたように、電話回線経由で伝送されるファクシミリ情報は音声信号とされるものであり、この場合には、携帯型オーディオプレーヤ２にてファクシミリ情報を送出するときに、既に、電話回線経由での伝送に適合した音声信号形式に変換されている。このために、携帯電話装置１は、上記のようにして通常のハンズフリープロファイルに則って、電話回線経由でファクシミリ情報を送出することが可能である。そして、ファクシミリ情報を受信したファクシミリ装置５０は、例えばその内容を、例えば用紙に印刷などして出力するようにされる。
【００１８】
以降、上記図１及び図２に示したような携帯型オーディオプレーヤ２のファクシミリ送受信機能についての技術的構成について説明していくこととする。
図３は、携帯電話装置１と携帯型オーディオプレーヤ２の内部構成例を示している。なお、以降においては、携帯電話装置１と、本実施の形態の携帯型オーディオプレーヤ２とがブルートゥースのハンズフリープロファイルによる通信を行うことでハンズフリー通話が可能になることをもって、ハンズフリー通話システムともいう場合がある。
【００１９】
先ず、携帯電話装置１から説明する。
この場合の携帯電話装置１は、アンテナ１０、ＲＦ部１１、ベースバンド部１２、スピーカ（受話器）１３、マイクロフォン（送話器）１４、制御部１５、及びブルートゥースインターフェイス部１６、操作部１７、表示部１８を備える。
無線電話回線網による電波としての信号はアンテナ１０にて受信されてＲＦ部１１に入力される。ＲＦ部１１では、入力された受信信号から所定の周波数帯域の信号を抽出して、ベースバンド部１２に出力する。
ベースバンド部１２では、ＲＦ部１１から入力されてきた信号について、所定の復調処理等を行ってベースバンド信号に変換する。そして、このベースバンド信号から、受話音声としてのオーディオ信号を抽出して、所定の信号処理などを施したうえで、最終的にスピーカ１３から受話音声として出力させる。
【００２０】
また、マイクロフォン１４では、例えば発話された音声を収音して電気信号に変換してベースバンド部１２に出力する。ベースバンド部１２は、マイクロフォン１４から入力された電気信号をオーディオ信号として得る。そして、このオーディオ信号について、所要の変調処理、多重化処理等を施し、ベースバンド信号としてＲＦ部１１に出力する。ＲＦ部１１は、入力されたベースバンド信号を、電波送信に適合した所定周波数帯域の信号に変換してアンテナ１０から送信出力させる。
【００２１】
制御部１５は、ＣＰＵ(Central Processing Unit)、ＲＯＭ、ＲＡＭなどにより構成されるマイクロコンピュータを備え、携帯電話装置１における各種制御処理を実行する。
操作部１７は、携帯電話装置１において備えられる各種の操作子と、これらの操作子に対して行われた操作に応じてコマンド信号を生成して出力する部位とを一括して示すものである。入力されたコマンド信号に応じて、制御部１５は所要の制御処理を実行する。
表示部１８は、制御部１５の表示制御により、そのときの動作状態などに応じて所要の内容の表示が行われる。
【００２２】
ブルートゥースインターフェイス部１６は、ブルートゥース（Bluetooth）の規格に従った無線通信機能を実現するためのハードウェアを含む機能部位を示す。
ブルートゥース（Bluetooth）は、周知のようにして、BluetoothSIG(Special Interest Group)により標準化されている、相互接続性を有した近距離無線通信のための規格であり、２．４ＧＨｚ帯（ISM(Industrial Science Medical)帯）を使用して、ブルートゥースに対応した通信機能を有する他のデバイスと通信する。
【００２３】
続いて、携帯型オーディオプレーヤ２の内部構成について説明する。
この図に示す携帯型オーディオプレーヤ２は、データ入出力端子２１、データインターフェイス２２、記憶部２３、音声処理部２４、音声出力端子２５、マイクロフォン２６、制御部２７、ブルートゥースインターフェイス部２８を備える。
データインターフェイス２２は、所定のデータ通信規格に対応したデータの送受信を実現するためのハードウェア構成を含む機能回路部位であり、このデータインターフェイス２２と接続されるデータ入出力端子２１の実際としては、上記データ通信規格に対応したコネクタ形状、ケーブル仕様などに従って構成される。このデータインターフェイス２２（及びデータ入出力端子２１）が対応する規格としては特に限定されるものではないが、現状であればＵＳＢ（Universal Serial Bus）、ＩＥＥＥ１３９４などを挙げることができる。また、ここでのデータインターフェイス規格として例えば近距離無線によるデータ通信規格を採用することも可能である。この場合には、データ入出力端子２１は不要となる。このような無線のデータ通信規格として、後述するハンズフリー通話機能に対応して設けられるブルートゥースを採用することとすれば、データインターフェイス２２とブルートゥースインターフェイス２８とを共通化することができる。
なお、記憶部２３として実際に採用される記憶デバイスとしては、電源供給が停止されてもデータが消失しない不揮発性を有するものであれば特に限定されるものではないが、現状においては、フラッシュメモリあるいはハードディスクが広く採用されている状況にある。
【００２４】
携帯型オーディオプレーヤ２の記憶部２３に対してオーディオデータを記憶させるためのデータの転送は、例えば周知のようにしてパーソナルコンピュータと連携して行われるようにすればよい。
つまり、例えば所定のオーディオデータ管理用のアプリケーションソフトウェアが動作するパーソナルコンピュータと、携帯型オーディオプレーヤ２とを、上記データ入出力端子２１経由でケーブルなどにより接続する。これによりパーソナルコンピュータ側のオーディオデータ管理用アプリケーションと、携帯型オーディオプレーヤ２側とがデータインターフェイスを介して連携可能となる。オーディオデータ管理用のアプリケーションソフトウェアは、例えば楽曲単位で、パーソナルコンピュータのハードディスクなどに記憶されているオーディオデータを管理するようにされている。そして、オーディオデータ管理用アプリケーションソフトウェアと携帯型オーディオプレーヤ２の連携が保たれている状態において、このオーディオデータ管理用アプリケーションソフトウェアが保存管理するオーディオデータを、データインターフェイス２２を介して携帯型オーディオプレーヤ２側に転送する。
上記のようにして携帯型オーディオプレーヤ２に転送されてきたオーディオデータは、データインターフェイス２２にて受信取得され、制御部２７の制御に応じて、記憶部２３への書き込みが行われる。また、このようなオーディオデータの書き込みに応じては、記憶部２３に書き込まれたオーディオデータを楽曲単位で管理するための管理情報も更新される。この管理情報も、記憶部２３に対して記憶される。このようにして、携帯型オーディオプレーヤ２の記憶部２３には、例えば楽曲単位で管理される状態でオーディオデータが記憶されることになる。
【００２５】
また、楽曲としてのオーディオデータの再生出力は次のようにして行われる。
例えば操作部２７に対する楽曲再生の指定操作に応じて、オーディオデータ（楽曲）を指定しての再生のコマンドが得られたとすると、制御部２７は、記憶部２３に記憶されている指定のオーディオデータにアクセスして読み出しを実行し、読み出したオーディオデータを音声処理部２４に対して転送する。
記憶部２３から読み出されたオーディオデータを入力した音声処理部２４は、必要に応じて、圧縮符号化に応じた復号処理（伸長処理）、及びその他のオーディオ信号処理を施したうえで、最終的に音声出力端子２５に対して増幅したアナログ音声信号を出力する。この音声出力端子２５に対して例えばイヤドライバを接続することで、ユーザは、イヤドライバから出力される音を聞くことができる。
【００２６】
また、先にも説明したが、上記オーディオデータと同様にして、静止画あるいは動画の画像ファイルも外部より転送して記憶部２３に記憶させたうえで、この記憶された画像ファイルの画像内容を表示部３０により再生表示させるように、携帯型オーディオプレーヤ２を構成することも可能である。
【００２７】
また、本実施の形態の携帯型オーディオプレーヤ２は、マイクロフォン２６を備えており、これにより、マイクロフォンにより収音した音声のオーディオデータを、記憶部２３に記憶させることができる。つまり、マイクロフォン２６により収音した音声を録音することができる。
マイクロフォン２６は収音した音声を電気信号として音声処理部２４に入力する。
音声処理部２４では、マイクロフォン２６から入力された電気信号を、オーディオデータに変換する。このオーディオデータは、制御部２７の制御によって記憶部２３に書き込みが行われて記憶されることになる。つまり、収音音声の録音が行われる。このようにして記憶部２３に記憶されたオーディオデータは、例えば操作部２９に対して録音開始の操作が行われてから、録音停止の操作が行われるまでの間の録音分に対応するものが、１つの楽曲データとして扱われて管理される。
また、本実施の形態では、マイクロフォン２６は、ハンズフリー通話時における発話音声を収音することにも用いられる。
【００２８】
制御部２７は、ＣＰＵ、ＲＯＭ、ＲＡＭなどにより構成されるマイクロコンピュータを備え、携帯電話装置１における各種制御処理を実行する。
操作部２９は、携帯型オーディオプレーヤ２において備えられる各種の操作子と、これらの操作子に対して行われた操作に応じてコマンド信号を生成して出力する部位とを一括して示す。入力されたコマンド信号に応じて、制御部２７は所要の制御処理を実行する。
表示部３０は、制御部２７の表示制御により、そのときの動作状態などに応じて所要の内容の表示が行われる。
【００２９】
ブルートゥースインターフェイス部２８は、ブルートゥースの規格に従った無線通信機能を実現するためのハードウェアを含む機能部位となる。
【００３０】
また、本実施の形態の携帯型オーディオプレーヤ２は、先に図１、図２によりファクシミリ送受信機能を実現するために、ＦＡＸモデム処理部１４及びファクシミリ対応処理部３２を備える。なお、これらＦＡＸモデム処理部１４とファクシミリ対応処理部３２の各機能は、例えばハードウェアにより実現されてもよいし、制御部２７が備えるＣＰＵが、例えばＲＯＭなどに記憶保持されるプログラムを実行することで実現されるものとしてもよい。
なお、ＦＡＸモデム処理部１４及びファクシミリ対応処理部３２の動作については、後述する。
【００３１】
上記図３に示したように、本実施の形態の携帯型オーディオプレーヤ２と、携帯電話装置１は、それぞれがブルートゥースインターフェイス部１６，２８を備えることで、ブルートゥースによる無線通信が可能とされる。そして、先にも説明したように、携帯型オーディオプレーヤ２と携帯電話装置１は、少なくともハンズフリープロファイル、ヘッドセットプロファイルに対応した構成を採ることで、ハンズフリー通話が可能なシステムとなる。
【００３２】
図３に示した構成を基として実現される、上記ハンズフリー通話としての本来の機能動作について改めて説明しておく。
ハンズフリー通話のためには、先ず、携帯型オーディオプレーヤ２と携帯電話装置１との間での同期通信が確立した状態を形成したうえで、ペアリングといわれる認証を伴った通信が可能な状態とするようにされる。この状態に至るまでには、携帯型オーディオプレーヤ２と携帯電話装置１との間での交渉により、相互に使用可能なプロファイルが確認されていることから、携帯型オーディオプレーヤ２と携帯電話装置１は、ハンズフリープロファイルにより規定される機能に対応した動作が可能となる。
【００３３】
上記のようにして、携帯型オーディオプレーヤ２と携帯電話装置１とのペアリングが確立されている状態の下で、携帯電話装置１に着信があったとすると、携帯電話装置１は、この着信を携帯型オーディオプレーヤ２に転送する。この転送を受けた携帯型オーディオプレーヤ２は、例えばこのときにオーディオデータを再生中だったのであれば、その再生を中断させたうえで、呼び出し音を出力するようにされる。そして、この呼び出し音に応じて、ユーザが、携帯型オーディオプレーヤ２の操作部２９に対してフックアップに相当する操作を行ったとすると、携帯型オーディオプレーヤ２は、この操作に応じて、携帯電話装置１に対して、フックアップを要求すると共に、ハンズフリープロファイル及びヘッドセットプロファイルに従った処理動作を要求する。これに応じて、携帯電話装置１は、着信に対するフックアップを行って電話回線を接続して通話可能な状態とする。また、携帯電話装置１は、電話回線を接続して以降、アンテナ１０、ＲＦ部１１、ベースバンド部１２の系により受信取得した受話音声のデータ（オーディオ信号）については、ブルートゥースインターフェイス１６から携帯型オーディオプレーヤ２に対して送信出力するようにされる。
携帯型オーディオプレーヤ２では、制御部２７の制御により、ブルートゥースインターフェイス２８により受信した受話音声のデータを音声処理部２４に転送して所定の信号処理を施し、音声出力端子２５から出力させる。これによりユーザは、携帯型オーディオプレーヤ２に接続したヘッドフォン２ａから受話音声を聴くことができる。
【００３４】
また、受話音声に応答した、ユーザの発話音声は、携帯型オーディオプレーヤ２のマイクロフォン２６により収音されて、オーディオ信号として音声処理部２４に入力される。ハンズフリープロファイルによるブルートゥース通信の場合、携帯型オーディオプレーヤ２の制御部２７は、上記のようにして音声処理部２４に入力されたマイクロフォン２６による収音音声のオーディオ信号をブルートゥースインターフェイス２８により、携帯電話装置１に対して送信出力させる。
【００３５】
携帯電話装置１では、上記のようにして携帯型オーディオプレーヤ２からブルートゥースにより送信されてくるオーディオ信号を受信すると、例えば制御部１５の制御に従って、ベースバンド部１２に転送するようにされる。そして、ベースバンド部１２、ＲＦ部１１における処理を経て、アンテナ１０から送信させるようにする。つまり、送話音声の送信を行う。
【００３６】
このようにして、携帯型オーディオプレーヤ２と携帯電話装置１とを、ハンズフリープロファイル及びヘッドセットプロファイルによるブルートゥース通信で接続したことによっては、携帯電話装置の着信に対応して、携帯型オーディオプレーヤ２側に対する操作によりフックアップさせて電話回線を接続させることができる。そのうえで、携帯型オーディオプレーヤ２側で受話音声を聴き、また、送話音声を携帯型オーディオプレーヤ２側で収音させて携帯電話装置１により送信させることができる。このようにして、携帯電話装置１をユーザが手に持つことなく、携帯型オーディオプレーヤ２を利用した受話、送話が実現される。
【００３７】
ブルートゥースのハンズフリープロファイルにおいて採用される、発話音声、受話音声を送受信するための音声通信方式としては、例えばＳＣＯ(Synchronous Connection Oriented)リンクが知られている。ＳＣＯリンクは、電話品質の音声伝送を目指すもので、６４ｋｂｐｓにより音声信号をパケット伝送するものとして規定されている。このＳＣＯリンクでは、１スロットに対応するパケットの種類としてＨＶ１，ＨＶ２，ＨＶ３が使用される。これらＨＶ１，ＨＶ２，ＨＶ３のパケット長は、それぞれ３６６ビットとされているが、パケット内に格納するペイロードについては、ＨＶ１が１０バイト、ＨＶ２が２０バイト，ＨＶ３が３０バイトであるとされている。このペイロードに格納して伝送すべき音声信号は、所定方式により圧縮符号化することができる。また、ＳＣＯリンクでは、リアルタイム性を重視していることで、伝送エラーに応じたパケットの再送は行わないこととしているので、ＦＥＣ(Forward Error Correction)によりエラー訂正を行うことで通信品質を高めることとしている。パケットとしてＨＶ１，ＨＶ２，ＨＶ３の何れの種類により伝送するのかについては、エラーレートやＳＣＯリンク以外の通信（例えばＡＣＬ:Asynchronous Connection Less）の有無などの所定条件に基づいてダイナミックに変更が行われるようにして決定する。
【００３８】
図５は、パケットＨＶ１を使用した場合の伝送フォーマットを示している。パケットＨＶ１を使用するときには、この図に示すようにして、マスタとスレーブとの間で、相互に２スロットごとに１回ずつとなる頻度で、パケットの送受信を行うようにされる。
また、パケットＨＶ３を使用した場合の伝送フォーマットとしては、図５に示すように、マスタとスレーブとの間で、相互に６スロットごとに１回ずつとなる頻度でパケットの送受信を行う。
また、図示していないが、パケットＨＶ２を使用する場合には、マスタとスレーブとの間で、相互に４スロットごとに１回ずつとなる頻度でパケットの送受信を行う。
ハンズフリープロファイルにあっては、携帯型オーディオプレーヤ２から携帯電話装置１に送信する発話音声と、携帯電話装置１から携帯型オーディオプレーヤ２に送信する受話音声とを、このＳＣＯリンクにより行う。
【００３９】
そして、前述もしたように、本実施の形態の携帯型オーディオプレーヤ２は、上記ハンズフリー通話を実現可能とするブルートゥースのハンズフリープロファイルのアプリケーション動作として、ファクシミリの送受信機能を有するものである。
そこで、以降においては、この携帯型オーディオプレーヤ２が有するファクシミリ送受信機能について、送信と受信とに分けて説明をすることとし、先ず、受信に対応する構成について説明していくこととする。
【００４０】
図６は、携帯型オーディオプレーヤ２によりファクシミリを受信する場合に対応して、携帯型オーディオプレーヤ２、携帯電話装置１、及びファクシミリ装置５０が実行するとされる手順例を示している。なお、この図においてファクシミリ装置５０と携帯電話装置１との間の通信は通話用の電話回線を経由して行われ、携帯電話装置１と携帯型オーディオプレーヤ２との間の通信は、ハンズフリープロファイルに則ったブルートゥースの無線通信網経由で行われる。
また、この図において、特に本実施の形態のハンズフリー通話システムを構成する携帯型オーディオプレーヤ２と携帯電話装置１が実行するとされる手順は、それぞれ、制御部１５、制御部２７を構成するマイクロコンピュータなどにおいて、例えばＣＰＵがＲＯＭなどに記憶されているプログラムを実行することで実現される処理としてもみることができる。このプログラムは、ブルートゥースのハンズフリープロファイルに応じた処理を実現するものとなる。また、携帯型オーディオプレーヤ２については、ハンズフリープロファイルのプロトコルの上位層に位置し、例えばファクシミリ送受信機能に応じたアプリケーションのプログラムも含まれる。この点については、図２より後において説明する図１０のフローチャートについても同様のことがいえる。
【００４１】
図６の場合には先ず、ファクシミリ装置５０がファクシミリ情報を送信するために、ステップＳ１０１として示すように、携帯電話装置１の電話番号宛に対して電話回線経由で発呼を行う。この発呼に応じて、携帯電話装置１は、ステップＳ２０１による着信に応じた処理を実行する。つまり、このときには、電波として受信した信号のうちで、この携帯電話装置１の電話番号に応じた発呼信号が、例えばＲＦ部１１からベースバンド部１２を経由して、制御部１５に入力される。これにより、携帯電話装置１は着信のあったことを検知することになる。この着信の検知に応じて携帯電話装置１は、次のステップＳ２０２により、ハンズフリープロファイルとしてのプロトコルに従い、携帯型オーディオプレーヤ２に対して着信転送（発呼信号の転送に相当する）を行う。
【００４２】
携帯型オーディオプレーヤ２は、ステップＳ３０１により上記着信転送を受信すると、ステップＳ３０２により、着信に応じたフックアップとしての処理を実行する。このフックアップの処理として、携帯型オーディオプレーヤ２は、携帯電話装置１との間でのハンズフリープロファイルに従った発話音声、受話音声の送受信が可能なモード状態を設定し、このようなフックアップの状態としたことを携帯電話装置１に通知する。
なお、携帯型オーディオプレーヤ２としては、ファクシミリデータの受信は、自動と手動の何れによっても可能なようにされている。自動受信の動作を実行させたい場合には、自動受信の動作を指定するように設定しておく。これにより、上記ステップＳ３０２のフックアップの手順は、例えば着信が一定時間以上継続したタイミングで自動的に実行される。また、手動受信を設定した場合には、上記ステップＳ３０２のフックアップの手順は、ユーザの操作部２９に対する所定のフックアップ操作が行われない限り実行されないものとなる。
【００４３】
携帯電話装置１は、上記フックアップ状態の通知を受信したのに応じて、例えば自身の動作としてもフックアップした状態とする。これにより、携帯電話装置１のステップＳ２０３とファクシミリ装置のステップＳ１０２として示すように、電話回線経由での携帯電話装置１とファクシミリ装置５０との接続が確立され、通常の発話音声、受話音声の送受信が可能な状態を得る。
そして、このようにして携帯電話装置１と携帯型オーディオプレーヤ２との通信が確立されると、ファクシミリ装置５０は、ステップＳ１０３により、CNG信号(コーリングトーン)などを送信出力することで、今回の通信がファクシミリ送信であることを通知する。このCNG信号は、例えば１１００ｋHzによる可聴帯域の信号とされる。携帯電話装置１では、送信されたCNG信号を、ＲＦ部１１、ベースバンド部１２を介して取得すると、ステップＳ２０４として示す音声信号中継処理によってCNG信号を携帯型オーディオプレーヤ２に対して送信する。なお、このステップＳ２０４としての音声信号中継処理は、前述したＳＣＯリンクによるものとなる。つまり、この場合においては、携帯電話装置１では、受信取得したCNG信号を必要に応じて圧縮符号化を施したうえでＨＶ１，ＨＶ２，ＨＶ３のいずれかによるパケット化を行い、そのパケットの種類に応じたタイミングで携帯型オーディオプレーヤ２に対して送信する。
【００４４】
携帯型オーディオプレーヤ２では、ステップＳ３０２によりフックアップを行って以降は、携帯電話装置１側との間でハンズフリープロファイルによる音声信号の送受信が可能な状態となっている。この状態の下で、先ずは、ステップＳ３０３として示すように、今回の着信が、通常の通話のものであるのか、ファクシミリ送信のためのものであるのかを判別することとしている。このためには、携帯型オーディオプレーヤ２は、例えば携帯電話装置１から最初の段階で送信されてくる音声信号のなかにCNG信号が検出されるか否かを判別すればよい。また、CNG信号であるか否かについては、通常にファクシミリ装置がCNG信号を検出する場合のようにして、受信取得された音声信号が、CNG信号に特有とされる所定の信号特性を持っているか否かについて比較することで判別できる。
【００４５】
そして、ステップＳ３０３において、CNG信号が検出されないとして否定の判別結果が得られた場合には、ステップＳ３０９として示すように、通常のハンズフリー通話に応じた処理を実行するようにされる。これに対して、CNG信号が検出されたとして肯定の判別結果が得られたのであれば、ステップＳ３０４以降の処理に進むことで、ファクシミリ情報の受信に対応した手順に進むようにされる。
【００４６】
先のステップＳ１０３により、例えばCNG信号を送信してファクシミリ送信の通知を行ったファクシミリ装置５０では、ステップＳ１０４によりファクシミリ信号を送信するようにされる。なお、ここでいうファクシミリ信号とは、電話回線による伝送に適合させるために、ファクシミリデータを変調して得られた音声信号である。一方、ファクシミリデータとは、ファクシミリの内容となる画像に対応したビットパターンから成るデータである。一般のファクシミリ機器は、このファクシミリデータを利用して例えば用紙などへの画像出力を行うようにされる。
【００４７】
電話回線を経由して送信されてきたファクシミリ信号を受信取得した携帯電話装置１は、ステップＳ２０５の処理により、CNG信号の場合と同様にして、ＳＣＯリンクにより携帯型オーディオプレーヤ２に対して転送するようにしてブルートゥースの通信網経由で送信する。携帯型オーディオプレーヤ２は、上記のようにして送信されたファクシミリ信号をステップＳ３０４としての手順により受信し、保持していくようにされる。このとき、携帯型オーディオプレーヤ２においては、先ず、ブルートゥースインターフェイス部２８によりファクシミリ信号を受信することになる。このファクシミリ信号は、ＳＣＯリンクのパケット構造に格納されていることから、このパケットを解き、必要により圧縮符号化に対応した伸長処理を施してファクシミリ信号を取得するようにされる。そして、このファクシミリ信号を、例えば、ＦＡＸモデム処理部３１に転送する。ＦＡＸモデム処理部３１は、ファクシミリ信号が入力されてきた場合には、その信号について復調処理を行って、ファクシミリデータに変換する。そして、このようにして得られたファクシミリデータを、例えば制御部２８が備えるとされるＲＡＭなどに書き込んで保持するようにされる。
【００４８】
上記ステップＳ１０４によりファクシミリ信号の送信を行っていたファクシミリ装置５０は、ファクシミリ信号の送信を終了すると、ステップＳ１０５により、これまで携帯電話装置１と接続していた電話回線を切断する。そして、携帯電話装置１は、このようにして切断が行われたことに応答した所要の処理をステップＳ２０６により実行するようにされる。ステップＳ２０６としては、例えば、これまでつながっていた電話回線を切断するとともに、携帯型オーディオプレーヤ２に対しても切断を通知するようにされる。
【００４９】
切断の通知を受けた携帯型オーディオプレーヤ２は、ステップＳ３０５により切断に応答した処理を行う。例えば、これまでのＳＣＯリンクによる音声信号の送受信モードを終了させる。
次に携帯型オーディオプレーヤ２は、例えばステップＳ３０６としての手順により、ファクシミリデータの保存を行うようにされる。つまり、携帯型オーディオプレーヤ２においては、先のステップＳ３０４の手順により、受信取得したファクシミリ信号に応じたファクシミリデータを保持している。そこで、ステップＳ３０６としては、ファクシミリ対応処理部３２の処理によって、例えばファクシミリデータを所定のファイル形式に変換するなどしたうえで、記憶部２３に転送して記憶させる。また、このときには、記憶部２３に保存されたファクシミリデータのリスト表示、検索などが後から可能なように、例えばデータベース化などが行われた形式により保存することが好ましい。続いて、ファクシミリ対応処理部３２は、ステップＳ３０７の手順として、上記ステップＳ３０６によりファクシミリデータを保存させたことに応じて、ファクシミリデータの受信履歴の情報について更新する。このファクシミリデータの受信履歴情報も、ファクシミリ対応処理部３２より所定形式の単位データとして作成され、記憶部２３に保存されるものである。
そして、ステップＳ３０８により、ファクシミリデータの受信が完了したことをユーザに知らせるための通知を行うようにされる。通知の態様としては、例えば人の声あるいは電子音などの音声により通知することが考えられる。また、表示部３０に対して、文字、絵柄などにより表示させることが考えられる。
【００５０】
また、本実施の形態の携帯型オーディオプレーヤ２は、上記のようにして受信取得して記憶部２３に保存したファクシミリデータを表示部３０に表示出力させることができる。これにより、携帯型オーディオプレーヤ２のユーザは、受信したファクシミリの内容を、携帯型オーディオプレーヤ２にて確認することができる。
図７のフローチャートは、ファクシミリデータを表示出力させるための手順を示している。また、この図に示す手順は、ファクシミリ対応処理部３２としての処理であるとみることができる。図３では、ファクシミリ対応処理部３２は、制御部２７とは別のブロックとして示されているが、ＣＰＵが実行するプログラムとして構成することも可能である。
図６により説明したように、例えば記憶部２３には、受信したファクシミリデータが所定方式で管理されるようにして記憶保存される。ユーザは、操作部２９に対する操作により、保存されているファクシミリデータのうちから、表示出力させるべきファクシミリデータを任意に選択することができる。図７のステップＳ４０１は、このような操作により選択指定されたファクシミリデータを、記憶部２３に保存されているファクシミリデータから検索する手順となる。
なお、ファクシミリデータを選択指定する操作をおこなうときには、例えば表示部３０に対して記憶部２３に保存されているファクシミリデータのリストを表示させるようにする。このリストの画面においては、ファクシミリデータごとの受信日時、サムネイル画像、さらにはタイトルなどの情報を表示させるようにする。記憶部２３に保存されるファクシミリデータは、このようなリスト表示に必要な情報とともに管理される。そして、このようなリスト画面に対して選択指定の操作が行えるようにする。
【００５１】
この場合において、記憶部２３に保存されているファクシミリデータは、通常のファクシミリ機器により例えば紙などに印刷した画像として出力するためのデータ形式とされている。本実施の形態の携帯型オーディオプレーヤ２が実装するファクシミリ対応処理部３２としては、ファクシミリの内容を表示部３０に表示出力させるのにあたり、ファクシミリデータを、表示部３０への表示出力に適合したデータ形式に変換するようにされる。この手順がステップＳ４０２となる。
例えば、本実施の形態の携帯型オーディオプレーヤ２において静止画による写真画像としての撮像画像データは、ＪＰＥＧ(Joint Photographic Expert Group)形式によるファイルとして作成され、記憶部２３などに記憶保存されるものとする。これに応じて、本実施の形態の携帯型オーディオプレーヤ２における静止画像データの表示制御をはじめとした、静止画像データを処理対象とするアルゴリズム（及びハードウェア構成）としては、ＪＰＥＧ形式のデータの処理に適合して構成されているものとする。すると、ファクシミリ対応処理部３２が、ファクシミリの画像を表示出力させるのにあたっては、上記したＪＰＥＧ形式のデータに対応した静止画像データ処理のアルゴリズムを利用することが順当であり、効率的であるということがいえる。ステップＳ４０２としては、このようなことに基づいて、ファクシミリデータを所定形式のデータに変換するものとしている。この具体例に倣えば、ステップＳ４０２では、ファクシミリデータを、その内容が反映された所定解像度によるＪＰＥＧ形式の静止画像データのファイルに変換するための処理を実行することになる。
【００５２】
そして、ステップＳ４０３では、上記ステップＳ４０２にて所定形式に変換したファクシミリデータにより、表示部３０にて画像の表示出力を実行させる。つまり、ファクシミリの内容が表示部３０にて表示されることになる。
なお、携帯型オーディオプレーヤ２は、携帯性を考慮してそのサイズが小型であるので、携帯型オーディオプレーヤ２に備えられる表示部３０の画面サイズも相応に小さなものに制限される。このために、表示部１８においてファクシミリの内容を表示させるのにあたって、例えばファクシミリ１枚分をそのまま表示部３０の画面に表示させるだけでは、表示される内容が小さすぎて見づらくなる場合のあることが考えられる。そこで、ファクシミリの表示にあたっては、例えば表示倍率を変更できるようにすることが好ましい。また、表示倍率を拡大すると、ファクシミリの内容全体における一部のみしか表示部３０にて表示されなくなるので、縦及び横方向へ画像をスクロール（移動）させる操作などが可能なように構成することが好ましい。
【００５３】
また、本実施の形態としては、記憶部２３に記憶保存されている、受信したファクシミリデータについて、所定の編集的な操作を行うことができるものとされる。例としては、ファクシミリデータを指定しての削除、ファクシミリデータごとのタイトルの編集、また、他の形式のデータ、ファイルへの変換などを挙げることができる。例えばＪＰＥＧ等の所定の静止画像データのファイル形式に変換すれば、撮像画像データなどとともに静止画像データとして保存しておくことができる。このような静止画像データは、例えば、データインターフェイス２２を経由して外部に出力したときにも他の情報処理機器などで扱いやすい。また、電子メールへの添付なども容易にできる。
【００５４】
図８のフローチャートは、上記した編集処理の例として、ファクシミリデータについてのファイル形式変換の手順を示している。この図に示す手順も、プログラムに従ってＣＰＵが実行する、ファクシミリ対応処理部３２としての処理であるとみることができる。
先ず、ステップＳ５０１では、例えばユーザの操作部２９に対する操作に応じて、記憶部２３に保存されているファクシミリデータのリストを表示させたうえで、ファイル形式の変換対象となるファクシミリデータを選択決定し、次のステップＳ５０２により変換先のファイル形式を指定する。なお、このステップＳ５０２の手順は、変換先のファイル形式が予め固定的に決められているのであれば自動実行されるものとなるが、複数の選択肢がある場合には、ユーザの操作部２４に対する操作により選択されたファイル形式を指定するようにされる。
そして、ステップＳ５０３では、ステップＳ５０１にて選択決定されたファクシミリデータを、ステップＳ５０２により指定されたファイル形式に変換するための処理を実行し、次のステップＳ５０３により、変換後のファイルのデータについて、例えばファイル形式などに応じた所定のディレクトリに在るようにして管理されるようにして、記憶部２３に書き込んで保存させる。なお、この場合において、変換元のファクシミリデータについては、そのままフラッシュメモリ２１に保存させておいてもよいし、変換後のファイルの保存が確定した段階で消去するようにしてもよい。
【００５５】
続いては、本実施の形態の携帯型オーディオプレーヤ２についての、ファクシミリ送信機能について説明する。
先ず図９は、携帯型オーディオプレーヤ２によるファクシミリ送信にあたっての情報の流れを模式的に示している。本実施の形態の携帯型オーディオプレーヤ２によっては、先ず、電子メールなどと同じ要領で、操作部２４に対する操作により入力したとされる文字（入力文字情報）をファクシミリデータに変換してファクシミリ送信を行うことが可能とされている。また、データインターフェイス２２経由で外部から取得して記憶部２３に保存させている画像データの画像内容をファクシミリデータに変換してファクシミリ送信を行うことが可能とされる。
さらに、データインターフェイス２２により携帯型オーディオプレーヤ２に取り込んだ情報として、画像データ以外のデータ（外部取り込みデータ）もファクシミリデータに変換してファクシミリ送信することができる。この外部取り込みデータとしては、テキストなどの情報を挙げることができる。これらの取り込みを行った情報も、例えば記憶部２３に保存させたうえで選択指定を行ってファクシミリ送信させることができる。
また、これらのファクシミリデータの基となる情報やデータを複合的に利用して１つのファクシミリデータに変換することも可能である。例えば文字情報と画像データとを組み合わせて、文字によるメッセージと、画像データの画像とが所定のレイアウトにより１枚分のファクシミリの画像として見えるようにしたファクシミリデータを作成するようなことが考えられる。
【００５６】
図１０は、携帯型オーディオプレーヤ２によりファクシミリを送信する場合に対応して、携帯型オーディオプレーヤ２、携帯電話装置１、及びファクシミリ装置５０が実行するとされる手順例を示している。なお、この図においてもファクシミリ装置５０と携帯電話装置１との間の通信は通話用の電話回線を経由して行われ、携帯電話装置１と携帯型オーディオプレーヤ２との間の通信は、ハンズフリープロファイルに則ったブルートゥースの無線通信網経由で行われる。
【００５７】
携帯型オーディオプレーヤ２によりファクシミリ送信を行うのにあたっては、先ずステップＳ６０１により送信用素材情報を取得する。この送信用素材情報としては、例えば図９にて説明した入力文字情報、画像データ、外部取り込みデータを挙げることができる。ステップＳ６０１として入力文字情報を取得する場合は、ユーザの操作部２９に対する操作に応じて入力された文字情報を取得する。また、画像データを取得する場合には、ユーザの操作部２９に対する操作に応じて選択された画像データをフラッシュメモリ２１から読み出すなどして取得する。外部取り込みデータを取得する場合にも、例えばユーザの操作部２９に対する操作に応じて選択された保存済みの外部取り込みデータを、フラッシュメモリ２１から読み出して取得することとすればよい。
【００５８】
ステップＳ６０２では、例えばファクシミリ対応処理部３２としての処理により、上記ステップＳ６０１により取得した送信用素材情報を利用して送信のためのファクシミリデータ（送信用ファクシミリデータ）を作成する。このようにして作成されたファクシミリデータは、例えば制御部２７が有するとされる内部ＲＡＭに保持しておくようにされる。
【００５９】
ステップＳ６０３においては、ユーザの操作部２４に対する所定操作に応じて指定されるファクシミリ送信先の電話番号の入力を受け付ける。そして、ユーザの操作部２９に対する発信操作が行われたとすると、例えばハンズフリープロファイルに従い、続くステップＳ６０４としての手順により、ステップＳ６０３にて入力した電話番号に対する発呼の要求を携帯電話装置１に対して行うようにされる。
【００６０】
この要求に応じて携帯電話装置１は、ステップＳ７０１により、要求された電話番号への発呼を実行する。これに応じて、発呼された電話番号が割り振られたファクシミリ装置５０では、ステップＳ８０１として示す着信が得られるので、次のステップＳ８０２によりフックアップの処理を行う。このフックアップに応じて、携帯電話装置１のステップＳ７０２の手順としても示されるように、ファクシミリ装置５０と携帯電話装置１との間での電話回線による接続が確立される。また、例えばハンズフリープロファイルによる携帯電話装置１からのステイタスの通知などにより電話回線の接続が確立されたことが、ステップＳ６０５のようにして、携帯型オーディオプレーヤ２にて検知される。
【００６１】
例えば上記のようにして電話回線接続の確立を検知した携帯型オーディオプレーヤ２では、ステップＳ６０６により、今回の通信がファクシミリ送信であることを通知する。この通知も、CNG信号(コーリングトーン)などを送信出力することで行うようにされる。CNG信号は、例えばファクシミリ対応処理部３２、あるいはＦＡＸモデム処理部３１が発生する。そして、このようにして生成されたCNG信号を、ＳＣＯリンクにより携帯電話装置１に対して出力する。携帯電話装置１は、受信したCNG信号を、ステップＳ７０３としての音声信号中継処理によって、電話回線経由で、通常の話音声と同様にしてファクシミリ装置に対して送信するようにされる。このときには、ＳＣＯリンクにより送信されてきたパケットからCNG信号を取り出し、必要に応じて伸長処理を施した上で、電話回線で伝送可能な音声信号として送信する。ファクシミリ装置５０では、上記のようにして送信されてきたCNG信号を受信し、これを検知することになる。そして、CNG信号の受信を検知したことに応じて、ステップＳ８０３として示すように、ファクシミリを受信するモードを設定する。
【００６２】
そして、先のステップＳ６０６により、例えばCNG信号を送信してファクシミリ送信の通知を行ったファクシミリ装置５０では、ステップＳ６０７によりファクシミリ信号を送信するようにされる。このためには、先のステップＳ６０２により作成して保持していた送信用ファクシミリデータをＦＡＸモデム処理部３１に転送する。そして、ＦＡＸモデム処理部３１にて、この送信用ファクシミリデータをファクシミリ信号に変換させ、例えばデジタル信号化したうえで、ＳＣＯリンクにより携帯電話装置１対して送信する。携帯電話装置１では、送信されてくるファクシミリ信号を、ステップＳ７０４としての音声信号中継処理によって、電話回線を経由してファクシミリ装置５０に対して送信する。このステップＳ７０４の音声信号中継処理も、ステップＳ７０３と同様にして、ＳＣＯリンクにより送信されてくるパケットから音声信号を抽出し、必要があれば伸長処理を行って、ファクシミリ信号としての音声信号を得るようにされる。そして、この音声信号を、携帯電話装置１に送信する。
そして、ファクシミリ装置５０では、ステップＳ８０４として示すように、受信したファクシミリ信号を利用して、例えば用紙などにファクシミリの画像を出力させる。
【００６３】
上記ステップＳ６０７によりファクシミリ信号の送信を行っていた携帯型オーディオプレーヤ２は、ファクシミリ信号の送信を終了すると、ステップＳ６０８により、これまでのファクシミリ装置５０との電話回線による接続を切断するように、携帯電話装置１に対して要求する。この要求に応じて、携帯電話装置１は、ステップＳ７０５により電話回線との切断を行う。また、これに応答して、ファクシミリ装置５０も、ステップＳ８０５により電話回線との切断を行う。
このようにして切断が行われたことに応答した所要の処理をステップＳ２０６により実行するようにされる。
【００６４】
また、上記ステップＳ６０８により電話回線の切断要求を行った携帯型オーディオプレーヤ２は、ステップＳ６０９により、ファクシミリデータの送信履歴情報を更新する。このファクシミリデータの送信履歴情報は、先に図６のステップＳ３０７において説明したファクシミリ受信履歴情報と同様にして、ファクシミリ対応処理部３２により所定形式の単位データとして作成され、記憶部２３に書き込まれて保存されるものである。
次のステップＳ６１０においては、ファクシミリ信号の送信結果を通知する。この通知の態様も、音声出力、あるいは表示部３０に対する表示により行うようにすればよい。送信先電話番号に対するファクシミリ信号の送信が最終的に完了しなかった場合には、ファクシミリの送信がエラーとなった旨を通知することになる。
【００６５】
ところで、ブルートゥースのプロファイルのなかには、ＦＡＸプロファイルが規定されている。このＦＡＸプロファイルにより、例えば、ブルートゥース対応の電話機、あるいはモデムなどを経由して、パーソナルコンピュータなどからのファクシミリ送信が可能となる。
しかしながら、本実施の形態としては、本来的にはハンズフリー通話のために携帯型オーディオプレーヤや携帯電話装置に実装されるブルートゥースのハンズフリープロファイルを流用してファクシミリ送受信機能を実現していることで、例えばＦＡＸプロファイルを追加して実装する必要は無いものである。つまり、ファクシミリ送受信機能を付加して、例えば利便性、付加価値を高めようとするのにあたり、既に実装済みとされているハンズフリープロファイルを有効に活用しているものである。
【００６６】
また、本発明としては、これまでに説明した実施の形態としての構成には限定されない。例えば、ファクシミリ送受信機能を有する通信装置としては、携帯型オーディオプレーヤを例に挙げているが、例えばブルートゥースなどの近距離無線通信が可能であって、さらに、相応に容量の大きい記憶デバイスを備えるような機器であれば、本願発明の適用が可能である。例えば、ブルートゥース通信機能を備える携帯型のビデオカメラ装置、デジタルスチルカメラなどにも適用できる。また、携帯電話と本願発明の通信装置との間の無線通信としても、ブルートゥースの規格に限定されるものではなく、既存の規格、又は将来実現化される規格が採用されてよいものである。
また、ファクシミリの送受信のためにプログラムなどが実行する手順なども、実施の形態としてのフローチャートの図面等により説明した以外の構成が採られてよい。
【図面の簡単な説明】
【００６７】
【図１】本発明の実施の形態としての携帯型オーディオプレーヤによるファクシミリ受信機能の概略を説明するための図である。
【図２】本発明の実施の形態としての携帯型オーディオプレーヤによるファクシミリ送信機能の概略を説明するための図である。
【図３】実施の形態の携帯型オーディオプレーヤと携帯電話装置の構成例を示すブロック図である。
【図４】ＳＣＯリンクにおけるパケットＨＶ１の伝送フォーマットを示す図である。
【図５】ＳＣＯリンクにおけるパケットＨＶ１の伝送フォーマットを示す図である。
【図６】実施の形態の携帯型オーディオプレーヤによりファクシミリを受信する場合において、携帯型オーディオプレーヤ、携帯電話装置、及びファクシミリ装置が実行する手順例を示すフローチャートである。
【図７】受信取得したファクシミリデータを表示出力するための手順を示すフローチャートである。
【図８】受信取得したファクシミリデータを他のファイル形式に変換するための手順を示すフローチャートである。
【図９】実施の形態の携帯型オーディオプレーヤにおけるファクシミリデータの作成と送信の手順の流れを模式的に示す図である。
【図１０】実施の形態の携帯型オーディオプレーヤによりファクシミリを送信する場合において、携帯型オーディオプレーヤ、携帯電話装置、及びファクシミリ装置が実行する手順例を示すフローチャートである。
【符号の説明】
【００６８】
１  携帯電話装置、２  携帯型オーディオプレーヤ、２ａ  ヘッドフォン、１０  アンテナ、１１  ＲＦ部、１２  ベースバンド部、１３  スピーカ、１４  マイクロフォン、１５  制御部、１６  ブルートゥースインターフェイス部、１７  操作部、１８  表示部、２１  データ入出力端子、２２  データインターフェイス、２３  記憶部、２４  音声処理部、２５  音声出力端子、２６  マイクロフォン、２７  制御部、２８  ブルートゥースインターフェイス部、２９  操作部、３０  表示部、５０  ファクシミリ装置
【図１】
2007208810.tif 000003
【図２】
2007208810.tif 000004
【図３】
2007208810.tif 000005
【図４】
2007208810.tif 000006
【図５】
2007208810.tif 000007
【図６】
2007208810.tif 000008
【図７】
2007208810.tif 000009
【図８】
2007208810.tif 000010
【図９】
2007208810.tif 000011
【図１０】
2007208810.tif 000012